(57)【要約】【課題】鼻が詰まることを原因とする、いびきの発生の防止や、無呼吸現象の防止に関して、従来提供されていた鼻孔拡張器においては、いびきの発生の防止や、無呼吸現象の防止の効果が、使用者によって、差異があり、不確実なものであった。この不確実性を排除し、誰が使用しても、鼻呼吸の活性化を確実なものとし、いびきの発生の防止や、無呼吸現象の防止を絶対的に可能とし、更には、鼻呼吸を活性化することで、日常生活や運動時の体内への酸素供給を活発にし、身体の健康へも寄与する。【解決手段】鼻腔の拡張を目的として、鼻腔外壁側から引っ張ることと、鼻呼吸の活性化を目的として、鼻腔内で鼻柱を圧迫すること、鼻詰まりを防止することを目的として鼻柱周辺を長時間にわたり、方向刺激することの、三つの手段を用いて、鼻詰まりを防止し、鼻呼吸を活性化することで、いびきの防止や、無呼吸現象の防止を図る。【選択図】図１
2005278959.tif 000002
【特許請求の範囲】
【請求項１】
両先端が平らな円状、又は球状となっていることを特徴としたＵ字型樹脂製クリップと、粘着シートの取替えが可能な鼻腔拡張器が一体となっていることを特徴とした鼻呼吸補助器具。
【請求項２】
本発明器具において、鼻腔拡張器の粘着シートに施与された、粘着性物質の中と、両先端が平らな円状、又は球状となっているＵ字型樹脂製クリップに、麦飯石、トルマリン、チタン、炭素材や磁性素材等のような遠赤外線効果を示す適当な素材を適当な方法で混入させることを特徴とする請求項１記載の鼻呼吸補助器具。
【請求項３】
本発明器具において、樹脂素材の中に、酸化チタン、二酸化チタン、四塩化チタンやチタニア系化合物のような光触媒を適当な方法で混入させることを特徴とする請求項１記載の鼻呼吸補助器具。
【請求項４】
本発明器具において、鼻腔拡張器の粘着シートに施与された、粘着性物質の中と、両先端が平らな円状、又は球状となっているＵ字型樹脂製クリップに、麦飯石、トルマリン、チタン、炭素材や磁性素材等のような遠赤外線効果を示す適当な素材を適当な方法で混入させることと、本発明器具において、樹脂素材の中に、酸化チタン、二酸化チタン、四塩化チタンやチタニア系化合物のような光触媒を適当な方法で混入させることの二つを特徴とする請求項１記載の鼻呼吸補助器具。
【発明の詳細な説明】
【技術分野】
【０００１】
本発明は、鼻呼吸補助器具に関する。
【背景技術】
【０００２】
いびき防止や無呼吸現象防止を目的とした、鼻腔拡張器は既に提供されている。しかし、従来提供されている鼻詰まりを防止するための鼻腔拡張器は、ある一つの方法でのみ、いびき防止や無呼吸現象防止の効果を得るための構造であった。
【特許文献１】特開平１１−１１４０７１
【非特許文献１】「死をまねく睡眠時無呼吸症候群」ハート出版
【発明の開示】
【発明が解決しようとする課題】
【０００３】
鼻が詰まることが原因である、いびきの発生や無呼吸現象の防止は、従来提供されている鼻腔拡張器では使用者によって効果が得られたり、得られなかったりする不確定要素が多く存在した。しかし、本発明において、使用者による効果の差異をなくし、鼻が詰まることを原因とするいびきの発生の防止と無呼吸現象の防止を絶対的に可能とし、鼻呼吸を活性化することで、日常生活や運動時の体内への酸素供給を活発にし、身体の健康へ寄与する。
【課題を解決するための手段】
【０００４】
鼻腔外壁側から引っ張ることと、鼻腔内で鼻柱を圧迫すること、鼻柱周辺を方向刺激すること、以上三つの手段を用いて、鼻詰まりを防止し、鼻呼吸を活性化させる機能を持つ構造とする。
【発明の効果】
【０００５】
鼻詰まりを防止することを原因とする、鼻呼吸の活性化による、いびきの発生の防止、無呼吸現象の防止、酸素供給の活発化による身体の健康への寄与、集中力や持久力の向上。
【発明を実施するための最良の形態】
【０００６】
本発明器具のＵ字型樹脂製クリップを鼻腔に挿入し、両先端で鼻柱を挟みこむように装着する。次に、本発明器具の鼻腔拡張器を、鼻腔外壁に貼り付ける。
【実施例１】
【０００７】
図３は、本発明器具の構造を説明した図であって、１は粘着シート、２は鼻腔拡張器の両端を差し込むポケット、３は鼻腔拡張器、４はＵ字型クリップ先端の鼻柱圧迫器、５はＵ字型クリップである。
【０００８】
本発明器具を図１、図２のように、クリップの両先端４が平らな円状、又は球状となっていることを特徴としたＵ字型樹脂製クリップ５を鼻腔内に挿入し、Ｕ字型樹脂製クリップ５の両先端で鼻柱を挟むことで、鼻柱を圧迫し、鼻中隔（鼻腔の真中で鼻腔を左右に分けている仕切り骨）を圧迫する。鼻中隔が圧迫されると、刺激が脳に伝達されて鼻の運動中樞に作用し、鼻道を広めて空気が円滑に流通するようになる。
【０００９】
更に、このＵ字型樹脂製クリップ５の両先端が平らな円状、又は球状となっているために、鼻柱周辺に方向刺激を行うことが可能になる。この方向刺激は、Ｕ字型樹脂製クリップ５の両先端で圧迫している箇所から、放射状に８方向を圧迫する機能を持つ。圧迫されている８方向のうちの１方向が使用者にとって、鼻詰まり防止の効果があるのだが、その１方向は人によりそれぞれ違うので、８方向全てを刺激する手段をとる。しかし、有効な１方向以外を刺激しても、鼻詰まり防止にとって悪影響を及ぼすことはないので、問題がない。この方向刺激は、鼻詰まりに対しての即効性はないが、持続性がある。本発明器具を装着する時間は即効性を必要とする短時間ではなく、長時間であるため、本発明器具を装着している限り、鼻詰まりを防止する機能が働くという点で、有効な鼻呼吸補助の機能である。
【００１０】
又、本発明器具により、鼻粘膜に慢性的な刺激が与えられることで、呼吸器系及び循環器系に反射的な影響が及び、鼻腔内の血流量や粘液の分泌量が変化されて、鼻による呼吸が正常になる。鼻による呼吸は鼻腔粘膜を膨張させ、吸入した空気に粘膜下の血管から８０％近い湿度と２５度前後の温度が自然に与えられる仕組みになっているため、温度の与えられた酸素は、肺胞の薄い細胞を通りやすくなり、赤血球中の二酸化炭素と酸素との交換を効率的に促す。そして粘膜にある繊毛が動くことで、空気中の埃、細菌を取り除き、病気の予防にもつながり、種々の慢性疾患症状の改善効果をも期待できる。又、酸素供給を増大するので、肉体の激しい活動中にも血圧の上昇を低く保ち、激しい活動を保持することが可能である。
【００１１】
本発明器具を図１、図２のように装着し、鼻腔拡張器３を鼻腔外壁の皮膚上に貼り付けることで、弾力性を持つこの鼻腔拡張器３の復元力による弾性を利用して、鼻腔を拡張することができる。
【００１２】
鼻腔の拡張は、鼻腔を通る空気の速度を遅くするため、睡眠時のいびきの原因になる口蓋の振動を減少させられる。本発明器具を、図１、図２のように、鼻に装着して鼻による呼吸が円滑に行えるようになると、口による呼吸の必要性が現象するため、口を閉じて寝ることができるようになる。口を開けて寝ることは、下顎を下げることの原因となり、舌の付け根を下げて気道を狭くする要因となる。舌の付け根が下がり、気道を狭くすることによって生じる空気抵抗がいびきの原因となる。口を閉じると、下顎が下がるのを防ぐため、喉の気道が狭くなるのを防ぐことができ、いびき発生の防止につながる。更には、鼻による呼吸を促進することで、口による呼吸を減少させ、気管支粘膜の乾燥を防ぐことにもなる。
【００１３】
本発明器具は、本請求項１のとおり、粘着シート１の取替えが可能なことを特徴としている。粘着シート１上に、鼻腔拡張器の両端を差し込むポケット２を設けることで、粘着力のなくなった粘着シート１を取替えることを可能にする。
【００１４】
更に、本請求項２、本請求項４により、粘着シート１に施与された、粘着性物質の中と、両先端が平らな円状、又は球状となっているＵ字型樹脂製クリップに、麦飯石、トルマリン、チタン、炭素材や磁性素材等のような遠赤外線効果を示す適当な素材を適当な方法で混入させることにより、鼻柱を暖める機能が付加され、低温の外気を鼻腔の中で暖める、鼻の働きを助け、円滑な鼻呼吸を可能にする。
【００１５】
又、本請求項３、本請求項４により、本発明器具において、樹脂素材の中に、酸化チタン、二酸化チタン、四塩化チタンやチタニア系化合物のような光触媒を適当な方法で混入させることにより、防菌・防汚機能が付加され、長時間の使用を何度も繰り返すことが可能になり、本発明器具が接触する、鼻粘膜などを清潔に保つことが可能になる。
【図面の簡単な説明】
【００１６】
【図１】本発明器具装着時の正面からの図
【図２】本発明器具装着時の真横からの図
【図３】本発明器具の構造を説明した図
【符号の説明】
【００１７】
１  粘着シート
２  鼻腔拡張器の両端を差し込むポケット
３  鼻腔拡張器
４  Ｕ字型樹脂製クリップ先端の鼻柱圧迫器
５  Ｕ字型樹脂製クリップ
【図１】
2005278959.tif 000003
【図２】
2005278959.tif 000004
【図３】
2005278959.tif 000005